(57)【特許請求の範囲】
【請求項１】
第一領域に、それぞれがスライドショーでのスライドを示す複数の第一表示を表示する第１の工程と、
オーディオファイルと前記第一領域に表示された複数の第一表示から選択された第１の第一表示とを連結することにより、前記オーディオファイルの前記スライドショーにおける開始点を、前記第１の第一表示により示されるスライドの前記スライドショーにおける開始点に合わせ、前記オーディオファイルと前記第一領域に表示された複数の第一表示から選択された第２の第一表示とを連結することにより、前記オーディオファイルの前記スライドショーにおける終了点を、前記第２の第一表示により示されるスライドの前記スライドショーにおける終了点に合わせる第２の工程と、
からなることを特徴とするスライドショー型プレゼンテーションのＢＧＭを創出する方法。
【請求項２】
前記第一領域に表示された複数の前記第一表示は、前記スライドショーで再生される順序に従って配列されていることを特徴とする請求項１に記載のスライドショー型プレゼンテーションのＢＧＭを創出する方法。
【請求項３】
前記第１の工程は、
前記第一領域と異なる位置に設けられた第二領域に、前記スライドのファイルを示す複数の第二表示を表示する第１の表示工程と、
前記第二領域に表示された複数の第二表示から選択された第二表示が前記第一領域にドラッグ・アンド・ドロップされることにより、当該第二表示に対応する前記第一表示を前記第一領域のドロップされた位置に表示する第２の表示工程と、
前記第一領域における前記第二表示のドロップされた位置の配列順を、各第二表示の前記スライドショーでの再生順として決定する決定工程と、
を含むことを特徴とする請求項２に記載のスライドショー型プレゼンテーションのＢＧＭを創出する方法。
【請求項４】
前記スライドは、イメージ及びビデオクリップからなることを特徴とする請求項１に記載のスライドショー型プレゼンテーションのＢＧＭを創出する方法。
【請求項５】
前記第２の工程は、
前記第二領域に、前記オーディオファイルを示す複数の第三表示を表示する第３の表示工程と、
前記第二領域に表示された複数の第三表示から選択された第三表示が前記第一領域に隣接する第三領域にドラッグ・アンド・ドロップされることにより、当該第三領域にドロップされた前記第三表示が対向する前記第一領域の前記第一表示を前記第１の第一表示として決定する第２の決定工程と、
前記第一領域に最後端に配列して表示された前記第一表示、又は前記第２の決定工程で決定された前記第１の第一表示よりも後に配列された第一表示が選択されることにより、当該第一表示を前記第２の第一表示として決定する第３の決定工程と、
前記第三領域に、前記ドロップされた第三表示が示すオーディオファイルの再生期間を示す第四表示を、前記第２，第３の決定工程で決定された前記第１，第２の第一表示に揃えて表示する第４の表示工程と、
を含むことを特徴とする請求項３に記載のスライドショー型プレゼンテーションのＢＧＭを創出する方法。
【請求項６】
前記第一表示は当該第一表示に対応するスライドの前記スライドショーにおける開始点と終了点を有し、前記第四表示は当該第四表示に対応するオーディオファイルの前記スライドショーにおける開始点と終了点を有し、
前記第４の表示工程は、前記第四表示の開始点を前記第２の決定工程で決定された第１の第一表示の開始点に揃え、前記第四表示の終了点を前記第３の決定工程で決定された第２の第一表示の終了点に揃えることを特徴とする請求項５に記載のスライドショー型プレゼンテーションのＢＧＭを創出する方法。
【請求項７】
前記第２の工程で前記第三領域に前記第四表示が表示された後、当該第四表示に揃えられた複数の前記第一表示の中のいずれかが選択されることにより、前記スライドショーにおける前記第四表示に対応するオーディオファイルの再生を当該選択された第一表示が示すスライドの再生中は休止させるように設定する第３の工程と、
前記第三領域に、前記第３の工程で選択された第一表示に揃えて前記オーディオファイルの休止を示す第五表示を表示する第４の工程と、
を更に備えたことを特徴とする請求項６に記載のスライドショー型プレゼンテーションのＢＧＭを創出する方法。
【請求項８】
前記第一表示は、左端と右端がそれぞれ前記スライドの前記スライドショーにおける開始点と終了点を示す当該スライドのサムネイルであることを特徴とする請求項６に記載のスライドショー型プレゼンテーションのＢＧＭを創出する方法。
【請求項９】
前記第四表示は、前記オーディオファイルの前記スライドショーにおける開始点と終了点とを示すバーであることを特徴とする請求項６に記載のスライドショー型プレゼンテーションのＢＧＭを創出する方法。
【請求項１０】
第一領域に、スライドショー型プレゼンテーションにおけるスライドのファイルを示す複数の第一表示とオーディオファイルを示す複数の第二表示を表示する第１の工程と、
前記第一領域に表示された複数の第一表示から選択された第一表示が前記第一領域と異なる位置に設けられた前記第二領域にドラッグ・アンド・ドロップされることにより、当該第一表示に対応するスライドを示す第三表示を前記第二領域のドロップされた位置に表示する第２の工程と、
前記第二領域における前記第一表示がドロップされた位置の配列順を、各第一表示の前記スライドショーでの再生順として決定する第３の工程と、
前記第一領域に表示された複数の第二表示から選択された第二表示が前記第二領域に隣接する第三領域にドラッグ・アンド・ドロップされることにより、当該第三領域にドロップされた前記第二表示が対向する前記第二領域の前記第三表示を第１の第三表示として選択する第４の工程と、
前記第二領域に最後端に配列して表示された前記第三表示、又は前記第４の工程で選択された前記第１の第三表示よりも後に配列された第三表示が選択されることにより、当該第三表示を第２の第三表示として選択する第５の工程と、
前記第三領域に、前記ドロップされた第二表示が示すオーディオファイルの再生期間を示す第四表示を、前記第４，第５の工程で選択された前記第１，第２の第三表示に揃えて表示する第６の工程と、
前記第４の工程で選択された前記第二表示と前記第１の第三表示とを連結することにより、前記第二表示により示されるオーディオファイルの前記スライドショーにおける開始点を、前記第１の第三表示により示されるスライドの前記スライドショーにおける開始点に合わせ、前記第５の工程で選択された前記第二表示と前記第２の第三表示とを連結することにより、前記第二表示により示されるオーディオファイルの前記スライドショーにおける終了点を、前記第２の第三表示により示されるスライドの前記スライドショーにおける終了点に合わせる第７の工程と、
からなることを特徴とするスライドショー型プレゼンテーションのＢＧＭを創出する方法。
【請求項１１】
前記スライドは、イメージ及びビデオクリップからなることを特徴とする請求項１０に記載のスライドショー型プレゼンテーションのＢＧＭを創出する方法。
【請求項１２】
前記第三表示は当該第三表示に対応するスライドの前記スライドショーにおける開始点と終了点を有し、前記第四表示は当該第四表示に対応するオーディオファイルの前記スライドショーにおける開始点と終了点を有し、
前記第７の工程は、前記第四表示の開始点を前記第５の工程で選択された第１の第一表示の開始点に揃え、前記第四表示の終了点を前記第６の工程で選択された第２の第一表示の終了点に揃えることを特徴とする請求項１０に記載のスライドショー型プレゼンテーションのＢＧＭを創出する方法。
【請求項１３】
前記第６の工程で前記第三領域に前記第四表示が表示された後、当該第四表示に揃えられた複数の前記第三表示の中のいずれかが選択されることにより、前記スライドショーにおける前記第四表示に対応するオーディオファイルの再生を当該選択された第三表示が示すスライドの再生中は休止させるように設定する第８の工程と、
前記第三領域に、前記第８の工程で選択された第三表示に揃えて前記オーディオファイルの休止を示す第五表示を表示する第９の工程と、
を更に備えたことを特徴とする請求項１２に記載のスライドショー型プレゼンテーションのＢＧＭを創出する方法。
【請求項１４】
前記第三表示は、左端と右端がそれぞれ前記スライドの前記スライドショーにおける開始点と終了点を示す当該スライドのサムネイルであることを特徴とする請求項１２に記載のスライドショー型プレゼンテーションのＢＧＭを創出する方法。
【請求項１５】
前記第四表示は、前記オーディオファイルの前記スライドショーにおける開始点と終了点とを示すバーであることを特徴とする請求項１２に記載のスライドショー型プレゼンテーションのＢＧＭを創出する方法。
【発明の詳細な説明】
【技術分野】
【０００１】
本発明は、スライドショー（slideshow）型プレゼンテーションのオーサリング（authoring）方法に関するものであって、特に、スライドショー型プレゼンテーションのBGMを創出する方法に関するものである。
【背景技術】
【０００２】
イメージ情報と音楽トーン情報とを、互いに同期させて再生する技術は既知の技術である。これらの技術の一つは、ユーザーが複数の写真若しくは複数のビデオクリップに基づいてデジタルフォトアルバム若しくはビデオコレクションを編集する際に用いられるソフトウェアである。このソフトウェアによれば、ユーザーは複数の画像を連結したり、複数のビデオクリップを連結したりすることができるとともに、その連結結果を表象的方式で再生することができる。また、このソフトウェアによれば、ユーザーは所望のＢＧＭを１枚又は複数枚の写真又はビデオクリップに添付することもできる。更に、このソフトウェアは、ページ、或いは、ビデオクリップを切り替える時、ユーザーが、ワイプ（wipe：拭き消し）、フェードイン（fade−in：溶明）、フェードアウト（fade−out：溶暗）等の視覚効果を加えることが可能である。これにより、ページの変換、或いはビデオクリップの交換等のスクリーン効果を与える。
【０００３】
表象的方式でＢＧＭ用の音響帯を伴ったマルチメディアプレゼンテーションを創出するために、編集者は、プレゼンテーション中に挿入するための適切なオーディオファイルを創作し、若しくは見つけ出した後、適切かつ好適な順序で個々のオーディオファイルを各スライドや各ビデオクリップに関連付ける。
【０００４】
ワシントン、レドモンドに所在するマイクロソフト社のマイクロソフトパワーポイント（Microsoft  PowerPoint）は、現在人気のあるスライドプレゼンテーションプログラムの一つである。オーディオデータを含むオーディオファイルは、スライドプレゼンテーション用の各スライドと、任意に連結することが可能である（非特許文献１参照）。しかし、マイクロソフトパワーポイントのスライドとオーディオファイルを連結するためのグラフィックユーザーインターフェース（GUI）は、使い勝手に限界がある。
【非特許文献１】ステファン．Ｗ．サグマン（Stephen W Sagman）著，「マイクロソフトパワーポイント２０００オフィシャルマニュアル」，日経ＢＰソフトプレス，１９９９年８月１６日発行
【０００５】
図１１で示されるように、時間軸（timeline）を備える更に扱いやすいＧＵＩを提供する、スライドショープレゼンテーションプログラムがある。このＧＵＩは、メインウィンドウ１、プレビュー領域１２、ファイルリスト領域１３、時間軸１４、スライドアレンジ領域１５、及びオーディオアレンジ領域１６、からなる。編集者は、ドラッグ・アンド・ドロップの操作等で、スライドやビデオクリップを、ファイルリスト領域１３からスライドアレンジ領域１５に加え、時間軸１４を参照してスライドの再生順を生成する。編集者は、また、ドラッグ・アンド・ドロップの操作等で、オーディオファイルを、ファイルリスト領域１３からオーディオアレンジ領域１６に加え、時間軸１４を参照してオーディオの再生順を生成する。よって、時間軸を用いることにより、編集者は、容易に、オーディオファイルとスライドを連結させることが出来る。
【発明の開示】
【発明が解決しようとする課題】
【０００６】
しかし、一般のスライドショー編集者は、オーディオの同期化を行うための基準としてスライドを使用するものであり、絶対時間を基準として使用することはない。彼らは、通常、時間を参考にしてスライドの再生順を決定し、その後、スライドの再生順を参照してオーディオファイルを配列する。オーディオの再生順を決定する時、時間軸だけを参考とすると、各スライドの開始時間と終了時間を記憶しなければならないため、編集者にとって不便である。更に、スライドショーの各スライドの開始時間と終了時間を変更する時、オーディオ同期化はリセットが必要であり、非常に面倒である。
【０００７】
本発明は、時間軸を使用しない、扱いやすいＧＵＩを備えるスライドショー型プレゼンテーションの創出方法を提供することを目的とする。
【課題を解決するための手段】
【０００８】
上述の目的を達成するため、本発明は、スライドショー型プレゼンテーションのＢＧＭを創出する方法を提供する。本方法は、第一領域に、それぞれがスライドショーでのスライドを示す複数の第一表示を表示する第１の工程と、オーディオファイルと前記第一領域に表示された複数の第一表示から選択された第１の第一表示とを連結することにより、前記オーディオファイルの前記スライドショーにおける開始点を、前記第１の第一表示により示されるスライドの前記スライドショーにおける開始点に合わせ、前記オーディオファイルと前記第一領域に表示された複数の第一表示から選択された第２の第一表示とを連結することにより、前記オーディオファイルの前記スライドショーにおける終了点を、前記第２の第一表示により示されるスライドの前記スライドショーにおける終了点に合わせる第２の工程と、からなる。
【０００９】
本発明は、更に、スライドショー型プレゼンテーションのＢＧＭを創出する方法を提供する。本方法は、第一領域に、スライドショー型プレゼンテーションにおけるスライドのファイルを示す複数の第一表示とオーディオファイルを示す複数の第二表示を表示する第１の工程と、前記第一領域に表示された複数の第一表示から選択された第一表示が前記第一領域と異なる位置に設けられた前記第二領域にドラッグ・アンド・ドロップされることにより、当該第一表示に対応するスライドを示す第三表示を前記第二領域のドロップされた位置に表示する第２の工程と、前記第二領域における前記第一表示がドロップされた位置の配列順を、各第一表示の前記スライドショーでの再生順として決定する第３の工程と、前記第一領域に表示された複数の第二表示から選択された第二表示が前記第二領域に隣接する第三領域にドラッグ・アンド・ドロップされることにより、当該第三領域にドロップされた前記第二表示が対向する前記第二領域の前記第三表示を第１の第三表示として選択する第４の工程と、前記第二領域に最後端に配列して表示された前記第三表示、又は前記第４の工程で選択された前記第１の第三表示よりも後に配列された第三表示が選択されることにより、当該第三表示を第２の第三表示として選択する第５の工程と、前記第三領域に、前記ドロップされた第二表示が示すオーディオファイルの再生期間を示す第四表示を、前記第４，第５の工程で選択された前記第１，第２の第三表示に揃えて表示する第６の工程と、前記第４の工程で選択された前記第二表示と前記第１の第三表示とを連結することにより、前記第二表示により示されるオーディオファイルの前記スライドショーにおける開始点を、前記第１の第三表示により示されるスライドの前記スライドショーにおける開始点に合わせ、前記第５の工程で選択された前記第二表示と前記第２の第三表示とを連結することにより、前記第二表示により示されるオーディオファイルの前記スライドショーにおける終了点を、前記第２の第三表示により示されるスライドの前記スライドショーにおける終了点に合わせる第７の工程と、からなる。
【発明の効果】
【００１０】
以上のような方法により、ユーザーは、ＢＧＭをスライドショーに付加するとき、時間ではなくスライドを参照することにより、容易にスライドとオーディオクリップとの同期化を図ることができる。
【発明を実施するための最良の形態】
【００１１】
図１は、本発明の一実施例による、ＢＧＭをスライドショー型プレゼンテーションに加えるのに用いられるＧＵＩ（Graphical User Interface）を示す図である。ＧＵＩは、メインウィンドウ２、ファイルリスト領域２１、スライドアレンジ領域２２、及びオーディオアレンジ領域２３からなる。ファイルリスト領域２１において、オーディオファイルとスライド（イメージ、或いはビデオクリップ）は、それらのファイルネーム２１１によって表される。ＧＵＩは、ユーザーが、ファイルリスト領域２１のファイルネーム２１１で表されるスライドとオーディオファイルを、ドラッグ・アンド・ドロップの操作によりそれぞれスライドアレンジ領域２２とオーディオアレンジ領域２３とに加えるのを可能にする。これにより、ユーザーは、スライドアレンジ領域２２のスライドがドロップされた位置とオーディオアレンジ領域２３のオーディオファイルがドロップされた位置の順番によってスライドの再生順とオーディオの再生順とを決定する。スライドアレンジ領域２２中にドロップされたスライドは、ユーザーにより認識されたスライドの再生順により配列されたサムネイル２２１a〜２２１fにより表示される。各サムネイル２２１a〜２２１fは、サムネイルの左端と右端とにより、それぞれ対応するスライドの開始点と終了点とが示される。
【００１２】
同期化モードには、オートリピート（Auto  repeat）Ｉ、オートリピートII、リピートなし（No  repeat）、一時停止（Break  Off）、の四つがある。
【００１３】
図１〜図４は、オートリピートＩの同期化モードでＢＧＭを加える操作を示す図である。
【００１４】
図１において、前述のように、ユーザーは、ドラッグ・アンド・ドロップの操作によりファイルリスト領域２１中のスライドをスライドアレンジ領域２２に加えることによりスライドの再生順序の編成を行う。スライドアレンジ領域２２にドラッグ・アンド・ドロップされたスライドは、サムネイル２２１a〜２２１fにより表示される。
【００１５】
図２において、ファイルリスト領域２１のファイルネーム２１１で表されるオーディオファイルは、ドラッグ・アンド・ドロップの操作により、オーディオアレンジ領域２３に加えられる。オーディオアレンジ領域２３のオーディオファイルがドロップされた位置に対応する、例えばスライド２２１cは、連結されたスライドとして認定される。この時、オーディオアレンジ領域２３にドロップされるオーディオファイルは、当該オーティオファイルの開始点と終了点とを示すバー２３１ａであつて、連結されるスライドのサムネイル２２１ｃの左端とスライド配列の最後とにそれぞれバーの両端が揃えられたバー２３１ａによって表される。これにより、オーディオファイルは、スライドショーの時、連結するスライドと同時に開始され、スライドショーが終了するまで、繰り返し再生される。
【００１６】
図３において、ファイルリスト領域２１のファイルネーム２１１で表されるもう一つのオーディオファイルは、ドラッグ・アンド・ドロップの操作により、オーディオアレンジ領域２３に加えられる。オーディオアレンジ領域２３のオーディオファイルがドロップされた位置に対応する、例えばスライド２２１ａは、連結されたスライドとして認定される。この時、オーディオアレンジ領域２３にドロップされるオーディオファイルは、当該オーティオファイルの開始点と終了点とを示すバー２３１ｂであつて、連結されるスライドのサムネイル２２１ａの左端とサムネイル２２１ｂの右端とにそれぞれバーの両端が揃えられたバー２３１ｂによって表される。これにより、オーディオファイルは、スライドショーの時、連結するスライド２２１aと同時に開始され、スライド２２１bが終了するまで、繰り返し再生される。
【００１７】
図４において、ファイルリスト領域２１のファイルネーム２１１で表されるもう一つのオーディオファイルは、再び、ドラッグ・アンド・ドロップの操作により、オーディオアレンジ領域２３に加えられる。オーディオアレンジ領域２３のオーディオファイルがドロップされた位置に対応する、例えばスライド２２１ｅは、連結されたスライドとして認定される。この時、オーディオアレンジ領域２３にドロップされるオーディオファイルは、当該オーティオファイルの開始点と終了点とを示すバー２３１ｃであつて、連結されたスライドのサムネイル２２１ｅの左端とスライドの再生順序の最後とにそれぞれバーの両端が揃えられたバー２３１ｃによって表される。これにより、オーディオファイルは、連結するスライド２２１ｅと同時に開始され、スライドショーが終了するまで、繰り返し再生される。
【００１８】
上述から分かるように、オートリピートＩモードでは、加えられたオーディオファイル
は、オーディオアレンジ領域２３の当該オーディオファイルがドロップされた位置によって認識され、連結するスライドと同時に開始され、次のオーディオファイルが開始するまで、或いはスライドショーの終了まで、繰り返し再生される。
【００１９】
図５〜図７は、オートリピート２の同期化モードでＢＧＭを加える操作を示す図である。
【００２０】
図５において、前述のように、スライドの再生順序は、ドラッグアンドドロップの操作によるスライドのスライドアレンジ領域２２への付加操作によりユーザによって認定され、配列されたサムネイル２２１ａ〜２２１ｆにより表示される。ファイルリスト領域２１のファイルネーム２１１で表されるオーディオファイルは、ドラッグ・アンド・ドロップの操作により、オーディオアレンジ領域２３に加えられる。オーディオアレンジ領域２３のオーディオファイルがドロップされた位置に対応する、例えばスライド２２１ｃは、連結されたスライドとして認定される。この時、オーディオアレンジ領域２３にドロップされるオーディオファイルは、当該オーティオファイルの開始点と終了点とを示すバー２３１ｄであつて、バーの両端が連結されるスライドのサムネイル２２１ｃの左端とスライドの再生順序の最後とにそれぞれ揃えられたバー２３１ｄによって表される。これにより、オーディオファイルは、連結するスライドと同時に開始され、スライドショーが終了するまで、繰り返し再生される。
【００２１】
図６で示されるように、スライドは、ユーザーが、例えばサムネイル２２１eをクリックすることにより選択される。
【００２２】
図７において、サムネイル２２１ｅを選択することにより、バー２３１dが切断され、（その切断位置が）選択されたスライドのサムネイル２２１eの右端に揃えられる。オーディオファイルは、連結するスライド２２１ｃと同時に開始し、スライド２２１ｅが終了するまで、繰り返し再生される。
【００２３】
上述から分かるように、オートリピートIIモードでは、加えられるオーディオファイル
は、オーディオアレンジ領域２３の当該オーディオファイルがドロップされた位置によって認識され、連結するスライドと同時に開始され、ユーザーによって選択されたスライドが終了するまで、繰り返し再生される。
【００２４】
また、上述から分かるように、オートリピートIIモードでは、先に付加されて存在する
バー（図示せず）にバー２３１を重ねることができる。この場合、ユーザーは、二種の修正方式を選択することが出来る。一つは、先に存在するバーの重畳した部分を切除し、当該バーに対応するオーディオファイルの終了点を予め設定する方法である。もう一つは、先に存在するバーを後方に移動させ、当該バーに対応するオーディオファイルをバー２３１に対応するオーディオファイル２１１が終了した後に開始させる方法である。
【００２５】
図８は、リピートなし同期化モードでＢＧＭを加える操作を示す図である。
【００２６】
図８において、ファイルリスト領域２１のファイルネーム２１１で示されるオーディオファイルは、ドラッグ・アンド・ドロップの操作により、オーディオアレンジ領域２３に加えられる。オーディオアレンジ領域２３のオーディオファイルがドロップされた位置に対応する、例えばスライド２２１ｃは、連結されたスライドとして認定される。オーディオアレンジ領域２３にドロップされるオーディオファイルは、当該オーディオファイルの開始点と終了点を示すバーであって、連結されるスライドのサムネイル２２１ｃの左端とサムネイル２２１ｄの左右端の間とにそれぞれバーの両端が揃えられたバー２３１ｅで表される。オーディオファイルは、スライドショーの時、連結するスライドと同時に開始され、一度だけ、再生される。バー２３１ｅの長さは、正確にスライドの再生時間に対する割合を示している。
【００２７】
図９は、一時停止同期化モードでＢＧＭを加える操作を示す図である。
【００２８】
図９において、ファイルリスト領域２１のファイルネーム２１１で示されるオーディオファイルは、ドラッグ・アンド・ドロップの操作により、オーディオアレンジ領域２３に加えられる。この時、オーディオアレンジ領域２３のオーディオファイルがドロップされた位置に対応する、例えばスライド２２１ｂは、連結されたスライドとして認定される。オーディオアレンジ領域２３にドロップされるオーディオファイルは、オーディオファイルの開始点と終了点を示すバーであって、連結されるスライドのサムネイル２２１ｂの左端とサムネイル２２１ｄの右端とにそれぞれバーの両端が揃えられたバー２３１ｇで表される。この操作は、オートリピートＩモード、或いは、オートリピートIIモードで達成さ
れる。更に、スライドは、ユーザーがサムネイル２２１ｃをクリックすることにより選択される。スライドの選択により、サイレンスアイコン２３１ｈがバー２３１ｇに挿入され、選択されたスライドのサムネイル２２１ｃに揃えられる。サイセンスアイコン２３１ｈは、選択されたスライドがスライドショー中に再生されているとき、バー２３１ｇによって表されたオーディオファイルの休止を示す。
【００２９】
図１０は、本発明の一具体例による、スライドショー型プレゼンテーションのＢＧＭを創出する方法を示すフローチャートである。
【００３０】
ステップ６１では、スライドショー型プレゼンテーションにおけるスライドの第一表示と、オーディオファイルの第二表示が、第一領域に表示される。第一及び第二表示は、ファイルネームである。スライドはイメージ、或いはビデオクリップである。
【００３１】
ステップ６２では、第一領域の第一表示が、ドラッグ・アンド・ドロップの操作により、第二領域に加えられる。
【００３２】
ステップ６３では、第二領域の第一表示がドロップされた位置の順に従って、スライドの再生順序が認定される。
【００３３】
ステップ６４では、それぞれがスライドの開始点と終点を示す第三表示が、第二領域のスライドの再生順序により表示される。第三表示は、左端及び右端がそれぞれスライドの開始点と終点を示すサムネイルである。
【００３４】
ステップ６５では、第一領域の第二表示が、ドラッグ・アンド・ドロップの操作により、第三領域に加えられる。
【００３５】
ステップ６６では、第三領域の第二表示がドロップされる位置に対応するスライドが、選択されたスライドとして認識される。
【００３６】
ステップ６７では、オーディオファイルの開始点と終了点を示し、選択されたスライドの開始点と終了点を示す第三表示に揃えられた第四表示が第三領域に表示される。第４表示は、オーディオファィルの開始点示す開始端と終了点を示す終了端とを備えたバーである。
【００３７】
ステップ６８では、同期化モードがユーザーにより認識される。
【００３８】
ステップ６９１では、オートリピートＩモードが用いられた場合、オーディオファイル
は、連結されるスライドと同時に開始され、次のオーディオファイルが開始するまで、或いは、スライドショーが終了するまで、繰り返し再生する。
【００３９】
ステップ６９２では、オートリピートIIモードが用いられた場合、ユーザーが第二領域
の第三表示の一つをクリックすることにより別のオーディオファイルが選択され、第三領域に表示され、オーディオファイルの終了点を示す第四表示が、クリック操作で選択されたスライドの終了点を示す第三表示に揃えられる。その後、クリック操作で選択されたスライドは、オーディオファイルと連結する。オーディオファイルは、スライドショーの時、ステップ６５で選択されたスライドと同時に開始され、クリック操作により選択されたスライドと同時に終了する。
【００４０】
ステップ６９３では、リピートなしモードが用いられた場合、スライドショーの時に同時に開始されるように、選択されたスライドとオーディオファイルとが連結される。オーディオファイルは、一度だけ再生される。
【００４１】
ステップ６９４では、一時停止モードが用いられた場合、ユーザーが第二領域で第三表示の一つをクリックすることによりもう一つのスライドが選択される。第三領域に表示され、オーディオファイルの休止を示す第五表示は、クリックにより選択されたスライドの第一表示と揃えられる。オーディオファイルは、ステップ６５で選択されたスライドと同時に開始されるように連結され、スライドショーで、クリック操作により選択されたスライドが再生されるとき、休止する。
【００４２】
結論として、本発明は、ユーザーがスライドとＢＧＭとを容易に同期化することができる直感的なＧＵＩを提供する。一般のユーザーにとって、このＧＵＩは、時間軸を有する公知のＧＵＩより簡単である。また、他の具体例においては、オーディオファイルの付加は、単一のオーディオファイル若しくは一群のオーディオファイルのいずれでも可能である。後者の場合、一群のオーディオファイルは、連続的に再生され、指定されたスライドに対して繰り返し再生される。
【００４３】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明明の保護範囲は、特許請求の範囲で指定した内容を基準とする。
【図面の簡単な説明】
【００４４】
【図１】本発明の一具体例による、スライド型プレゼンテーションにＢＧＭを加えるのに用いられるＧＵＩを示す図である。
【図２】スライド型プレゼンテーションにＢＧＭを加えるのに用いられるＧＵＩを示す図である。
【図３】スライド型プレゼンテーションにＢＧＭを加えるのに用いられるＧＵＩを示す図である。
【図４】スライド型プレゼンテーションにＢＧＭを加えるのに用いられるＧＵＩを示す図である。
【図５】スライド型プレゼンテーションにＢＧＭを加えるのに用いられるＧＵＩを示す図である。
【図６】スライド型プレゼンテーションにＢＧＭを加えるのに用いられるＧＵＩを示す図である。
【図７】スライド型プレゼンテーションにＢＧＭを加えるのに用いられるＧＵＩを示す図である。
【図８】スライド型プレゼンテーションにＢＧＭを加えるのに用いられるＧＵＩを示す図である。
【図９】スライド型プレゼンテーションにＢＧＭを加えるのに用いられるＧＵＩを示す図である。
【図１０】本発明の一具体例による、スライド型プレゼンテーションのＢＧＭを創出する方法を示すフローチャートである。
【図１１】従来のスライドショーオーサリングのＧＵＩを示す図である。
【符号の説明】
【００４５】
１、２  メインウィンドウ
１２    予告領域
１３、２１  ファイルリスト領域
１４  時間軸
１５、２２  スライドアレンジ領域
１６、２３  オーディオアレンジ領域
２１１  ファイルネーム
２２１ａ〜２２１ｆ  サムネイル
２３１ａ〜２３１ｉ  バー
【図１】
0004292303.tif 000002
【図２】
0004292303.tif 000003
【図３】
0004292303.tif 000004
【図４】
0004292303.tif 000005
【図５】
0004292303.tif 000006
【図６】
0004292303.tif 000007
【図７】
0004292303.tif 000008
【図８】
0004292303.tif 000009
【図９】
0004292303.tif 000010
【図１０】
0004292303.tif 000011
【図１１】
0004292303.tif 000012